(57)【要約】  【課題】メモ台が椅子本体に対して着脱可能に取り付けられ、且つ、当該メモ台が安定的に支持され得る設計の自由度に優れた椅子を提供する。  【解決手段】椅子を、椅子本体と、この椅子本体に着脱可能に取り付けられるメモ台とを備えてなり、前記椅子本体が、脚フレームに設けられた軸を介して使用位置と跳ね上げ位置との間で回動可能に支持された座とを備えたものであり、前記メモ台が、メモ台本体と、このメモ台本体を支持するとともに前記脚フレームを支持する取付機構とを備えたものとし、且つ、前記取付機構が、前記軸よりも前に配設されている構成としている。【選択図】図１
2018068686.tif 000002
【特許請求の範囲】
【請求項１】
椅子本体と、この椅子本体に着脱可能に取り付けられるメモ台とを備えてなる椅子であって、
前記椅子本体が、パイプ材を主体に構成された前脚及び後脚を有した脚フレームと、この脚フレームに設けられた軸を介して使用位置と跳ね上げ位置との間で回動可能に支持された座とを備えたものであり、
前記メモ台が、メモ台本体と、このメモ台本体を支持するとともに前記脚フレームを支持する取付機構とを備えたものであり、
前記取付機構が、前記軸よりも前に配設されている椅子。
【請求項２】
前記メモ台本体が、天板と、この天板を支持するメモ台フレームとを備えてなるものであり、
前記取付機構が、第一の取付部材と第二の取付部材とを備えたものであり、
前記第一の取付部材と第二の取付部材との間に位置させた前記前脚及び前記メモ台フレームを、前記第一、第二の取付部材によって挟んで支持し得るように構成されている請求項１記載の椅子。
【請求項３】
前記第一の取付部材が、前記前脚の外側及び前記メモ台フレームの外側に配されたものであり、
前記第二の取付部材が、前記前脚の内側及び前記メモ台フレームの内側に配されたものである請求項２記載の椅子。
【請求項４】
前記脚フレームが、左右に対をなす前記前脚と、パイプ材を主体に構成され前記前脚間に架設された連結部材とを備えたものであり、
前記第二の取付部材が、前記連結部材に当接し前記前脚回りに回転不能に位置決めされている請求項３記載の椅子。
【請求項５】
前記脚フレームが、左右に対をなす前記前脚と、パイプ材を主体に構成され前記前脚間に架設された連結部材とを備えたものであり、
前記第二の取付部材が、前記連結部材と前記前脚との間に形成されたくさび形凹陥部に内嵌し得る内嵌部分を有している請求項３又は４記載の椅子。
【請求項６】
前記メモ台本体が、天板を支持するメモ台フレームを備えてなるものであり、
前記メモ台フレームが、側面視において前傾した態様で略直線状に延びた下部フレーム及び当該下部フレームの上端部から屈曲部を介して前方に延びた上部フレームを一体に備えたフレーム部材を備えたものであり、
前記下部フレームの長さが前記上部フレームの長さよりも長く設定されている請求項１、２、３、４又は５記載の椅子。
【請求項７】
前記椅子本体が、前記脚フレームに支持された肘掛けと、前記脚フレームに直接又は間接的に支持された背凭れとを備えている請求項１、２、３、４、５又は６記載の椅子。
【請求項８】
前記メモ台が、使用位置と退避位置との間で位置変更可能な天板を備えたものであり、
前記座を前記跳ね上げ位置に保持した状態、及び、前記天板を前記退避位置に保持した状態で、同一構造をなす他の椅子と前後方向にネスティングし得るように構成されている請求項１、２、３、４、５、６又は７記載の椅子。
【請求項９】
前記メモ台本体が、天板を備えてなるものであり、
前記天板が、Ａ３サイズよりも大きな天板面を有している請求項１、２、３、４、５、６、７又は８記載の椅子。
【発明の詳細な説明】
【技術分野】
【０００１】
本発明は、オフィスや学校等において好適に使用される椅子に関する。
【背景技術】
【０００２】
従来から、椅子本体にメモ台を着脱可能に支持させた椅子が知られている（例えば特許文献１参照）。
【０００３】
ところが、この種の従来の椅子は、椅子本体にメモ台を支持させるための特別な支持構造を設けているものが殆どであり、椅子本体に対する設計の自由度が制限されるものとなっていた。
【０００４】
近時、メモ台の天板は大型のものが要望されている。このため、メモ台を備えた椅子は、単に椅子本体に対して着脱可能に取り付けられるだけでなく当該メモ台が椅子本体に安定的に支持され得るものであることが求められている。
【先行技術文献】
【特許文献】
【０００５】
【特許文献１】特開２０００−２７９２６４号公報
【発明の概要】
【発明が解決しようとする課題】
【０００６】
本発明は、以上のような事情に着目してなされたものであり、少なくとも、メモ台が椅子本体に対して着脱可能に取り付けられ、且つ、当該メモ台が安定的に支持され得る設計の自由度に優れた椅子を提供することにある。
【課題を解決するための手段】
【０００７】
すなわち、本発明は次の構成をなしている。
【０００８】
請求項１に記載の発明は、椅子本体と、この椅子本体に着脱可能に取り付けられるメモ台とを備えてなる椅子であって、前記椅子本体が、パイプ材を主体に構成された前脚及び後脚を有した脚フレームと、この脚フレームに設けられた軸を介して使用位置と跳ね上げ位置との間で回動可能に支持された座とを備えたものであり、前記メモ台が、メモ台本体と、このメモ台本体を支持するとともに前記脚フレームを支持する取付機構とを備えたものであり、前記取付機構が、前記軸よりも前に配設されている椅子である。
【０００９】
請求項２に記載の発明は、前記メモ台本体が、天板と、この天板を支持するメモ台フレームとを備えてなるものであり、前記取付機構が、第一の取付部材と第二の取付部材とを備えたものであり、前記第一の取付部材と第二の取付部材との間に位置させた前記前脚及び前記メモ台フレームを、前記第一、第二の取付部材によって挟んで支持し得るように構成されている請求項１記載の椅子である。
【００１０】
請求項３に記載の発明は、前記第一の取付部材が、前記前脚の外側及び前記メモ台フレームの外側に配されたものであり、前記第二の取付部材が、前記前脚の内側及び前記メモ台フレームの内側に配されたものである請求項２記載の椅子である。
【００１１】
請求項４に記載の発明は、前記脚フレームが、左右に対をなす前記前脚と、パイプ材を主体に構成され前記前脚間に架設された連結部材とを備えたものであり、前記第二の取付部材が、前記連結部材に当接し前記前脚回りに回転不能に位置決めされている請求項３記載の椅子である。
【００１２】
請求項５に記載の発明は、前記脚フレームが、左右に対をなす前記前脚と、パイプ材を主体に構成され前記前脚間に架設された連結部材とを備えたものであり、前記第二の取付部材が、前記連結部材と前記前脚との間に形成されたくさび形凹陥部に内嵌し得る内嵌部分を有している請求項３又は４記載の椅子である。
【００１３】
請求項６に記載の発明は、前記メモ台本体が、天板を支持するメモ台フレームを備えてなるものであり、前記メモ台フレームが、側面視において前傾した態様で略直線状に延びた下部フレーム及び当該下部フレームの上端部から屈曲部を介して前方に延びた上部フレームを一体に備えたフレーム部材を備えたものであり、前記下部フレームの長さが前記上部フレームの長さよりも長く設定されている請求項１、２、３、４又は５記載の椅子である。
【００１４】
請求項７に記載の発明は、前記椅子本体が、前記脚フレームに支持された肘掛けと、前記脚フレームに直接又は間接的に支持された背凭れとを備えている請求項１、２、３、４、５又は６記載の椅子である。
【００１５】
請求項８に記載の発明は、前記メモ台が、使用位置と退避位置との間で位置変更可能な天板を備えたものであり、前記座を前記跳ね上げ位置に保持した状態、及び、前記天板を前記退避位置に保持した状態で、同一構造をなす他の椅子と前後方向にネスティングし得るように構成されている請求項１、２、３、４、５、６又は７記載の椅子である。
【００１６】
請求項９に記載の発明は、前記メモ台本体が、天板を備えてなるものであり、前記天板が、Ａ３サイズよりも大きな天板面を有している請求項１、２、３、４、５、６、７又は８記載の椅子である。
【発明の効果】
【００１７】
以上説明したように本発明によれば、メモ台が椅子本体に対して着脱可能に取り付けられ、且つ、当該メモ台が安定的に支持され得る設計の自由度に優れた椅子を提供することができるものとなる。
【図面の簡単な説明】
【００１８】
【図１】本発明の一実施形態を示す斜視図。
【図２】同実施形態における正面図。
【図３】同実施形態における背面図。
【図４】同実施形態における左側面図。
【図５】同実施形態における平面図。
【図６】同実施形態における底面図。
【図７】同実施形態におけるスタッキング状態を示す左側面図。
【図８】同実施形態におけるスタッキング状態を示す平面図。
【図９】同実施形態における部分拡大左側面図。
【図１０】同実施形態における部分拡大正面図。
【図１１】同実施形態における部分拡大右側面図。
【図１２】同実施形態における分解斜視図。
【図１３】同実施形態における分解斜視図。
【図１４】同実施形態における分解斜視図。
【図１５】同実施形態における部分拡大左側面図。
【図１６】同実施形態における部分拡大右側面図。
【図１７】同実施形態における部分拡大斜視図。
【発明を実施するための形態】
【００１９】
以下、本発明の一実施形態を、図１〜１４を参照して説明する。
【００２０】
この実施形態は、本発明を前後方向にネスティング可能な椅子Ｃ、換言すれば水平方向にスタッキング可能な椅子Ｃに適用したものである。椅子Ｃは、図７、及び、図８に示すように、座４を跳ね上げ位置（Ｈ）に保持した状態、及び、メモ台５の天板５１を退避位置（Ｓ）に保持した状態で、同一構造をなす他の椅子Ｃと前後方向にネスティングし得るように構成されている。
【００２１】
椅子Ｃは、金属フレームを主体に構成された脚フレーム１と、脚フレーム１に支持された肘掛け２と、肘掛け２を介して脚フレーム１に支持された背凭れ３と、脚フレーム１に設けられた軸たる枢支部１４１を介して使用位置（Ｕ）と跳ね上げ位置（Ｈ）との間で回動可能に支持された座４とを備えてなる椅子本体Ｃ１を備えている。さらに、椅子Ｃは、椅子本体Ｃ１に着脱可能に取り付けられたメモ台５を備えている。メモ台５は、取付機構５ｂを有しており、椅子本体Ｃ１に後付け可能に構成されている。
【００２２】
以下、椅子本体Ｃ１を構成する脚フレーム１、肘掛け２、背凭れ３、座４、及び、椅子本体Ｃ１に着脱可能に取り付けられたメモ台５について詳述する。
【００２３】
脚フレーム１は、金属製の丸型のパイプ材を主体にして構成されたものである。脚フレーム１は、下端にキャスタ１１ｂを有した左右の後脚１１と、下端にキャスタ１２ｂを有するとともに上端を左右の後脚１１の上部に接続した左右の前脚１２と、左右の前脚１２の中間部同士を繋ぐ連結部材たる第一の横架材１３と、第一の横架材１３よりも後側の位置において左右の前脚１２同士を繋ぐ第二の横架材１４とを備えてなる。
【００２４】
左右の後脚１１は、上部側が下部側よりも前側に位置するように前傾した態様で上下方向に延びてなる丸形のパイプ材により形成された後脚フレーム１１ａを有している。後脚フレーム１１ａの上部は、肘掛け２及び背凭れ３を支持するための支持部として機能している。後脚フレーム１１ａの上端部には、背板３１と一体に形成された肘掛け２が装着されるようになっている。
【００２５】
左右の前脚１２は、上部側が下部側よりも後側に位置するように後傾した態様で上下方向に延びてなる丸型のパイプ材により形成された前脚フレーム１２ａを主体に構成されている。左の前脚１２と右の前脚１２との離間幅は、ネスティングを可能とするべく、左の後脚１１と右の後脚１１との離間幅よりも狭くなっている。左右の前脚１２には、第一の横架材１３及び第二の横架材１４が溶接により連結されている。
【００２６】
第一の横架材１３は、丸型のパイプ材により正面視において上向き凸状をなすように形成されたものである。第一の横架材１３は、正面視において山型をなしている。第一の横架材１３は、左右方向中間部に設けられ左右方向に水平に延びるように形成された水平部１３１と、水平部１３１の左右に設けられ外方に向かって漸次下方に位置するように傾斜した傾斜部１３２とを備えている。
【００２７】
水平部１３１は、使用位置（Ｕ）の座４における座裏カバー４４の下面に添接するものである。水平部１３１は、座４を下方から受け止めるようになっている。
【００２８】
傾斜部１３２は、内側の端部が水平部１３１に一体に連続しており外側の端部が前脚１２の内面側に溶接により接続している。
【００２９】
第二の横架材１４は、左右両端部に配され座４を枢支する軸を構成する枢支部１４１を備えている。座４は、脚フレーム１に設けられた枢支部１４１を介して使用位置（Ｕ）と跳ね上げ位置（Ｈ）との間で回動可能に支持されている。
【００３０】
肘掛け２は、着座者の肘を支持し得るものである。肘掛け２は、背凭れ３を脚フレーム１に支持させる機能を兼ねている。この実施形態では、肘掛け２と後述する背凭れ３の背板３１とが合成樹脂により一体に形成されている。
【００３１】
背凭れ３は、肘掛け２とともに合成樹脂により一体に形成された背板３１を主体に構成されたものである。背凭れ３は、肘掛け２の後端部に一体に接続している。
【００３２】
座４は、パイプ材を主体に構成された図示しない座支持フレームと、座支持フレーム上に配された図示しない座板と、座板の上面側を被覆する被覆部材４３と、座支持フレームの主要部分及び座板の裏側を下方からカバーするための座裏カバー４４とを備えたものである。
【００３３】
座４は、脚フレーム１の枢支部１４１に回動可能に支持されており、使用位置（Ｕ）と跳ね上げ位置（Ｈ）との間で回動可能に構成されている。
【００３４】
続いて、椅子本体Ｃ１に支持されたメモ台５について説明する。メモ台５は、椅子本体Ｃ１における正面視左側の前脚１２及び第一の横架材１３に対して取り付けられている。
【００３５】
メモ台５は、天板５１を有したメモ台本体５ａと、メモ台本体５ａを支持するとともに椅子本体Ｃ１における脚フレーム１を支持する取付機構５ｂとを備えている。取付機構５ｂは、側面視において、座４の回転軸である枢支部１４１よりも前に配設されている。
【００３６】
メモ台本体５ａは、天板面５１ｓが上側を向く使用位置（Ｔ）と上下方向に垂下する退避位置（Ｓ）との間で位置変更可能な略矩形板状をなす天板５１と、天板５１を支持するメモ台フレーム５２ａとを有した支持体本体５２とを備えている。
【００３７】
天板５１は、矩形平板状をなすものであり、使用位置（Ｔ）において上面側に物品を載せ置くことができるようになっている。天板５１は、Ａ３サイズ（図５においてＡ３サイズを二点鎖線で示している。）よりも大きな天板面５１ｓを有している。
【００３８】
支持体本体５２は、第一、第二フレーム部材５２１、５２２を主体に構成されたメモ台フレーム５２ａと、メモ台フレーム５２ａの上端部に設けられ天板５１を使用位置（Ｔ）と退避位置（Ｓ）との間で位置変更可能に支持し得る天板支持機構５２ｂとを具備している。
【００３９】
メモ台フレーム５２ａは、天板５１を支持するフレーム部分を主体に構成されたものである。メモ台フレーム５２ａは、後方から前方に向かって斜め上方に延びてなる下部フレーム５２１及び前後方向に延びてなる上部フレーム５２１ｃを有したフレーム部材たる第一フレーム部材５２１と、第一フレーム部材５２１の下部フレーム５２１ａに溶接により接続され前後方向に延びてなる第二フレーム部材５２２とを備えてなる。メモ台フレーム５２ａは、取付機構５ｂを介して、脚フレーム１における正面視左側の前脚１２の上に配されている。
【００４０】
第一フレーム部材５２１は、側面視において前傾した態様で略直線状に延びた下部フレーム５２１ａ及び当該下部フレーム５２１ａの上端部から屈曲部５２１ｂを介して前方に直線状に延びた上部フレーム５２１ｃを一体に備えたものである。下部フレーム５２１ａの長さすなわち下部フレーム５２１ａの長手方向の寸法は、上部フレーム５２１ｃの長さすなわち上部フレーム５２１ｃの長手方向の寸法よりも長く設定されている。
【００４１】
第二フレーム部材５２２は、上端部が下部フレーム５２１ａに接続されており、且つ、前脚１２の上側に位置し当該前脚１２とほぼ並行に配されている。第二フレーム部材５２２の上端は、溶接により第一フレーム部材５２１における下部フレーム５２１ａの前面に接続している。第二フレーム部材５２２は、直線状のものである。
【００４２】
天板支持機構５２ｂは、メモ台フレーム５２ａにおける上部フレーム５２１ｃの前端部に取り付けられている。天板支持機構５２ｂは、上部フレーム５２１ｃの軸心周りに回転可能に設けられた第一の回転支持部５２３と、第一の回転支持部５２３に対して旋回可能に設けられた第二の回転支持部５２４と、第二の回転支持部５２４に一体的に設けられ天板５１の裏面にビス等を介して取り付けられた取付板５２５とを備えている。
【００４３】
天板支持機構５２ｂは、天板５１の下面における前後方向中央部に配設されている。すなわち、天板支持機構５２ｂを構成する第二の回転支持部５２４は、使用位置（Ｔ）の天板５１における外側の下面に設けられており、且つ、天板５１における前後方向中央部に設けられている。このように構成することによって、Ａ３サイズよりも大きく設定された天板５１をメモ台フレーム５２ａに安定的に支持させ得るようにしている。
【００４４】
メモ台５の天板５１を使用位置（Ｔ）から退避位置（Ｓ）まで折り畳む操作は、例えば次のように行われる。先ず、天板５１を略水平方向に沿った位置から略鉛直方向に沿った位置まで第一の回転支持部５２３を利用して左右方向に回転させる。次いで、鉛直方向に沿った位置まで遷移した天板５１を、第二の回転支持部５２４を利用して前後方向に回転させ、脚フレーム１の外方に垂下して位置する退避位置（Ｓ）にまで遷移させる。退避位置（Ｓ）にある天板５１は、図８に示すように、前端側が後端側よりも内側に位置しており、且つ、上端側が下端側よりも内側に位置している。椅子Ｃの天板５１は、スタッキング時には、同一形状をなす他の椅子Ｃの天板５１と部分的に重合され得るようになっている。
【００４５】
次いで、取付機構５ｂについて詳述する。
【００４６】
取付機構５ｂは、椅子本体Ｃ１に対して、メモ台本体５ａを支持させるためのものである。取付機構５ｂは、二つの剛性を有した部材たる第一、第二の取付部材５５、５６、及び、これら第一、第二の取付部材５５、５６とを結合するための複数の止着具たるねじｖによって構成されている。第一、第二の取付部材５５、５６は、いわゆる半割構造をなしている。そして、取付機構５ｂは、半割構造の第一の取付部材５５と半割構造の第二の取付部材５６との間に位置させた前脚１２の前脚フレーム１２ａ及びメモ台フレーム５２ａを、第一、第二の取付部材５５、５６によって挟んで支持し得るものである。
【００４７】
取付機構５ｂは、椅子本体Ｃ１における前脚フレーム１２ａを挟持するのみならず、メモ台本体５ａにおけるメモ台フレーム５２ａの第一フレーム部材５２１及び第二フレーム部材５２２を挟持している。取付機構５ｂは、メモ台フレーム５２ａの下部に配設されている。
【００４８】
まずは、第一の取付部材５５について詳述する。
【００４９】
第一の取付部材５５は、側面視において略Ｌ字状をなしている。第一の取付部材５５は、椅子本体Ｃ１における前脚フレーム１２ａの外側及びメモ台フレーム５２ａの外側に配されている。
【００５０】
第一の取付部材５５は、前脚フレーム１２ａの形状に対応させて凹陥した部位を有する前脚フレーム支持部５５１と、前脚フレーム支持部５５１の上側に配され、メモ台フレーム５２ａの下部の形状に対応させて凹陥した部位を有するメモ台フレーム支持部５５２とを備えている。
【００５１】
前脚フレーム支持部５５１は、部分円筒状のもので、前脚１２の前脚フレーム１２ａを配設させるための配設空間ｓｐ１を形成している。前脚フレーム支持部５５１の上端縁及び下端縁は外部空間と連通し得るように開放されている。前脚フレーム支持部５５１には、第二の取付部材５６と連結するためのねじｖが挿通されるねじ挿通孔ｎ１が設けられている。
【００５２】
メモ台フレーム支持部５５２は、部分円筒状のものをＬ字状に配したものである。メモ台フレーム支持部５５２は、メモ台フレーム５２ａの第一フレーム部材５２１の下端部である下部フレーム５２１ａの下端部を配設させるための配設空間ｓｐ２及びメモ台フレーム５２ａの第二フレーム部材５２２を配設させるための配設空間ｓｐ３を形成している。これら二つの配設空間ｓｐ２、ｓｐ３によって、略Ｌ字状の凹陥部が形成されている。メモ台フレーム支持部５５２の前端部には、前脚フレーム１２ａの上側に位置する前壁５５２ａが設けられている。前壁５５２ａは、内方に向かって突出する態様で設けられている。メモ台フレーム支持部５５２には、第二の取付部材５６と連結するためのねじｖが挿通されるねじ挿通孔ｎ２が設けられている。
【００５３】
続いて、第二の取付部材５６について、詳述する。
【００５４】
第二の取付部材５６は、側面視において略Ｌ字状をなしている。第二の取付部材５６は、椅子本体Ｃ１における前脚フレーム１２ａの内側及びメモ台フレーム５２ａの内側に配されている。
【００５５】
第二の取付部材５６は、前脚フレーム１２ａの形状に対応させて凹陥した部位を有する前脚フレーム支持部５６１と、前脚フレーム支持部５６１の上側に配され、メモ台フレーム５２ａの下部の形状に対応させて凹陥した部位を有するメモ台フレーム支持部５６２と、連結部材である第一の横架材１３と係わり合う連結部材係合部５６３とを備えている。
【００５６】
前脚フレーム支持部５６１は、部分円筒状のものであり、前脚１２の前脚フレーム１２ａを配設させるための配設空間ｓｐ４を形成している。前脚フレーム支持部５６１の上端縁及び下端縁は外部空間と連通し得るように開放されている。前脚フレーム支持部５６１には、第一の取付部材５５と連結するためのねじｖが螺着されるナット孔ｈ１が設けられている。
【００５７】
メモ台フレーム支持部５６２は、部分円筒状のものをＬ字状に配したものである。メモ台フレーム支持部５６２は、メモ台フレーム５２ａの第一フレーム部材５２１の下端部たる下部フレーム５２１ａの下端部を配設させるための配設空間ｓｐ５及びメモ台フレーム５２ａの第二フレーム部材５２２を配設させるための配設空間ｓｐ６を形成している。これら二つの配設空間ｓｐ５、ｓｐ６によって、略Ｌ字状の凹陥部が形成されている。メモ台フレーム支持部５６２には、第一の取付部材５５と連結するためのねじｖが螺着されるナット孔ｈ２が設けられている。
【００５８】
連結部材係合部５６３は、前脚フレーム支持部５６１及びメモ台フレーム支持部５６２の外側（すなわち椅子Ｃの中央部側）に設けられたものであり、第一の横架材１３の傾斜部１３２に外嵌し得るものである。換言すれば、第二の取付部材５６は、連結部材係合部５６３を設けてなるものである。そして、連結部材係合部５６３が連結部材である第一の横架材１３の傾斜部１３２に当接することによって、第二の取付部材５６全体が、前脚１２回りすなわち前脚フレーム１２ａの軸心回りに回転し得ないように位置決めされている。
【００５９】
連結部材係合部５６３は、第一の横架材１３における傾斜部１３２の後側に位置してなる後案内壁ｗ１と、第一の横架材１３における傾斜部１３２の前側に位置してなる前案内壁ｗ２と、後案内壁ｗ１と前案内壁ｗ２との上部間に架設された天壁ｗ３とを備えている。連結部材係合部５６３は、後案内壁ｗ１と前案内壁ｗ２との間に、上下方向に延びる溝空間ｍｚが形成されている。この実施形態では、後案内壁ｗ１の内面たる前面と前案内壁ｗ２の内面たる後面とが略平行をなしている。溝空間ｍｚは略鉛直方向に延びるように構成されている。
【００６０】
後案内壁ｗ１は、傾斜部１３２と係わり合って、第二の取付部材５６が前脚フレーム１２ａの軸心回りに回転してしまうことを規制する回動規制機能を発揮し得るものである。
【００６１】
前案内壁ｗ２は、後案内壁ｗ１と協働して第二の取付部材５６の椅子本体Ｃ１に対する前後方向の位置決め機能を発揮し得るものである。前案内壁ｗ２の前側には、第一の取付部材５５の前壁５５２ａが配設されるようになっている。
【００６２】
天壁ｗ３は、溝空間ｍｚ側を向く下面が傾斜部１３２の外面に対応した傾斜面部ｗ３１を有している。
【００６３】
第二の取付部材５６の脚フレーム１への取り付け手順、すなわち、第二の取付部材５６を、第一の横架材１３における傾斜部１３２、及び、前脚フレーム１２ａに取り付ける手順は、例えば、次のように行われる。
【００６４】
先ず、傾斜部１３２の上側から第二の取付部材５６を略鉛直方向に降下させることにより、連結部材係合部５６３の溝空間ｍｚ内に傾斜部１３２を通過させる。次いで、傾斜部１３２の上面を、連結部材係合部５６３における天壁ｗ３の傾斜面部ｗ３１に当接させる。その後、第二の取付部材５６を、傾斜部１３２に沿って前脚１２側にスライド移動させて、前脚フレーム支持部５６１の配設空間ｓｐ４に前脚フレーム１２ａを位置させる。
【００６５】
以上のようにして、第二の取付部材５６が、第一の横架材１３及び前脚フレーム１２に取り付けられる。
【００６６】
なお、第二の取付部材５６は、傾斜部１３２と前脚１２との間に形成されたくさび形凹陥部１５に内嵌し得る内嵌部分５６ａを有している。内嵌部分５６ａは、前脚フレーム支持部５６１の前端部及び連結部材係合部５６３の後案内壁ｗ１を主体に構成されている。
【００６７】
以上説明したように、本実施形態に係る椅子Ｃは、椅子本体Ｃ１と、椅子本体Ｃ１に着脱可能に取り付けられるメモ台５とを備えている。そして、椅子本体Ｃ１が、パイプ材を主体に構成された前脚１２及び後脚１１を有した脚フレーム１と、脚フレーム１に設けられた軸である枢支部１４１を介して使用位置（Ｕ）と跳ね上げ位置（Ｈ）との間で回動可能に支持された座４とを備えている。メモ台５が、メモ台本体５ａと、メモ台本体５ａを支持するとともに脚フレーム１を支持する取付機構５ｂとを備えている。この実施形態では、取付機構５ｂが、軸である枢支部１４１よりも前に配設されている。このため、メモ台５が椅子本体Ｃ１に対して着脱可能に取り付けられ、且つ、当該メモ台５が安定的に支持され得る設計の自由度に優れた椅子Ｃを提供することができるものとなる。つまり、取付機構５ｂが座４を回転可能に支持するための枢支部１４１よりも前における脚フレーム１の部位に接続しているため、メモ台本体５ａの全体的な前傾姿勢が抑制されるものとなり、脚フレーム１や取付機構５ｂにかかる負荷が低減され得るものとなる。
【００６８】
メモ台本体５ａが、天板５１と、天板５１を支持するメモ台フレーム５２ａとを備えている。そして、取付機構５ｂが、第一の取付部材５５と第二の取付部材５６とを備えている。第一の取付部材５５と第二の取付部材５６との間に位置させた前脚１２及びメモ台フレーム５２ａを、第一、第二の取付部材５５、５６によって挟んで支持し得るように構成されている。換言すれば、取付機構５ｂは、メモ台本体５ａを着脱可能に支持したものとなっている。このため、メモ台本体５ａと取付機構５ｂを別個に離脱した部材として取り扱うことができるものとなり、メモ台５を構成する部品管理に便宜であるとともに、取付機構５ｂの製造のし易さに供するものとなる。
【００６９】
取付機構５ｂは脚フレーム１及びメモ台本体５ｂを共に支持するものであるため、椅子本体Ｃ１側にメモ台５を支持させるための特別な構造が要求されにくく、椅子本体Ｃ１の設計の自由度に優れた椅子Ｃを提供することができるものとなる。つまり、椅子本体Ｃ１に着脱自在にメモ台５を装着させることができるにも関わらず、椅子本体Ｃ１側にメモ台５を支持させるための特別な取付構造を備えていない。このため、椅子本体Ｃ１の外観が、メモ台５を装着するために損なわれることがないものとなっている。
【００７０】
第一の取付部材５５が、前脚１２の外側及びメモ台フレーム５２ａの外側に配されたものであり、第二の取付部材５６が、前脚１２の内側及びメモ台フレーム５２ａの内側に配されたものである。このため、第一、第二の取付部材５５、５６を、複雑化が抑制された態様で設計しやすいものとなっている。
【００７１】
脚フレーム１が、左右に対をなす前脚１２と、パイプ材を主体に構成され前脚１２間に架設された連結部材である第一の横架材１３とを備えている。そして、第二の取付部材５６が、第一の横架材１３に当接し前脚１２回りに回転不能に位置決めされている。このため、メモ台５が、前脚１２回りに回転することなく脚フレーム１に対して安定的に止着し得るものとなっている。
【００７２】
脚フレーム１が、左右に対をなす前脚１２と、パイプ材を主体に構成され前脚１２間に架設された連結部材である第一の横架材１３とを備えている。第二の取付部材５６が、第一の横架材１３と前脚１２との間に形成されたくさび形凹陥部１５に内嵌し得る内嵌部分５６ａを有している。このため、脚フレーム１に対して、第二の取付部材５６が安定的に支持され得るものとなっている。
【００７３】
メモ台本体５ａが、天板５１を支持するメモ台フレーム５２ａを備えてなるものである。そして、メモ台フレーム５２ａが、側面視において前傾した態様で略直線状に延びた下部フレーム５２１ａ及び当該下部フレーム５２１ａの上端部から屈曲部５２１ｂを介して前方に延びた上部フレーム５２１ｃを一体に備えたフレーム部材たる第一フレーム部材５２１とを備えている。下部フレーム５２１ａの長さが、上部フレーム５２１ｃの長さよりも長く設定されている。このため、メモ台フレーム５２ａの形状により、天板５１を有したメモ台本体５ａの全体的な前傾姿勢が抑制されるものとなり、脚フレーム１や取付機構５ｂにかかる負荷が好適に抑制され得るものとなっている。
【００７４】
椅子本体Ｃ１が、脚フレーム１に支持された肘掛け２と、脚フレーム１に肘掛け２を介して間接的に支持された背凭れ３とを備えている。このため、着座者の背中や肘を好適に支持し得る構成を有した椅子本体Ｃ１を提供し得るものとなっている。
【００７５】
メモ台５が、使用位置（Ｔ）と退避位置（Ｓ）との間で位置変更可能な天板５１を備えている。そして、座４を跳ね上げ位置（Ｈ）に保持した状態、及び、天板５１を退避位置（Ｓ）に保持した状態で、同一構造をなす他の椅子Ｃと前後方向にネスティングし得るように構成されている。このため、不使用時等において、椅子本体Ｃ１にメモ台５を装着した状態で、スペース効率良く収納することが可能になっている。
【００７６】
メモ台本体５ａが、天板５１を備えている。そして、天板５１が、Ａ３サイズよりも大きな天板面５１ｓを有している。このため、天板５１は、使用者に好適な広範な作業領域を提供することができるものとなっている。
【００７７】
なお、本発明は、以上に詳述した実施形態に限られるものではない。
【００７８】
上述した実施形態では、第一、前脚フレームは、丸型のパイプ材により形成されたものであったが、角柱状又は角筒状のフレーム部材やパイプ材を適用したものであってもよい。
【００７９】
取付機構は、第一、第二の取付部材を備えていないものであってもよい。つまり、取付機構は、単一の取付部材を主体に構成されたものであってもよい。
【００８０】
第一、第二の取付部材は、左右方向に移動して、第一、前脚フレームを挟むものには限られない。例えば、第一、第二の取付部材を前後方向に移動して第一、前脚フレームを挟むように構成したものであってもよい。
【００８１】
上述した実施形態では、メモ台は、メモ台本体と取付機構とが着脱可能に別個に構成されたものについて説明したが、メモ台本体と取付機構とが一体に構成されたものであってもよい。例えば、メモ台本体に対して、取付機構を構成する第一の取付部材又は第二の取付部材の何れか一方が一体的に構成されているものであってもよい。
【００８２】
第一、第二の取付部材の形状は、種々の形状を採用することができるものであり、上述した実施形態に示すものに限定されるものではない。
【００８３】
図１５〜１７に示すものは、他の実施形態である取付機構５ｂを構成する第一、第二の取付部材５５、５６を示している。なお、図中において、上述した実施形態と同一又は対応する構成については、上述した実施形態で使用した符号と同一の符号を付して説明するものとする。
【００８４】
この実施形態に示すものは、左側面視における第一の取付部材５５の外面に、ねじｖを用いた連結構造に関連した凹凸形状が表出しないようになっている。すなわち、外側に位置する第一の取付部材５５の内面側にねじｖが螺合し得る図示しないナット部が設けられている。そして、内側に位置する第二の取付部材５６に、ねじｖが挿入されるねじ挿通孔ｎ３、ｎ４が貫設されている。かかる構成によって、左側面視において第一の取付部材５５の外面には、ナット部に起因する凹凸形状が表出しないようになっており、好適な外観を呈するものとなっている。
【００８５】
第二の取付部材５６の連結部材係合部５６３は、第一の横架材１３の傾斜部１３２に外嵌し得るものである。この実施形態における連結部材係合部５６３は、第一の横架材１３における傾斜部１３２の後側且つ下側（すなわち斜め後側）に位置してなる後案内壁ｗ１と、第一の横架材１３における傾斜部１３２の前側且つ上側（すなわち斜め前側）に位置してなる前案内壁ｗ２と、後案内壁ｗ１と前案内壁ｗ２との上部間に架設された天壁ｗ３とを備えている。連結部材係合部５６３は、後案内壁ｗ１と前案内壁ｗ２との間に、前脚フレーム１１ａの長手方向に沿って延びる溝空間ｍｚが形成されている。後案内壁ｗ１の内面たる前面と前案内壁ｗ２の内面たる後面とが略平行をなしている。
【００８６】
後案内壁ｗ１は、傾斜部１３２と係わり合って、第二の取付部材５６が前脚フレーム１２ａの軸心回りに回転してしまうことを規制する回動規制機能を発揮し得るものである。この実施形態では、溝空間ｍｚを形成する後案内壁ｗ１の内側面は、前脚フレーム１２ａの軸心に対して略平行をなすように設定されている。このようなものであれば、後案内壁ｗ１が、第二の取付部材５６の回転をより好適に抑制し得るものとなっている。このような他の実施形態であっても、所期の目的を達成し得るものとなる。
【００８７】
その他、各部の具体的構成についても上記実施形態に限られるものではなく、本発明の趣旨を逸脱しない範囲で種々変形が可能である。
【符号の説明】
【００８８】
５…メモ台
５ａ…メモ台本体
５ｂ…取付機構
１２ａ…前脚フレーム
Ｃ…椅子
Ｃ１…椅子本体
【図１】
2018068686.tif 000003
【図２】
2018068686.tif 000004
【図３】
2018068686.tif 000005
【図４】
2018068686.tif 000006
【図５】
2018068686.tif 000007
【図６】
2018068686.tif 000008
【図７】
2018068686.tif 000009
【図８】
2018068686.tif 000010
【図９】
2018068686.tif 000011
【図１０】
2018068686.tif 000012
【図１１】
2018068686.tif 000013
【図１２】
2018068686.tif 000014
【図１３】
2018068686.tif 000015
【図１４】
2018068686.tif 000016
【図１５】
2018068686.tif 000017
【図１６】
2018068686.tif 000018
【図１７】
2018068686.tif 000019